Podtech/llm-jp-corpus-v4-ja_patent huggingface dataset:
(57)【要約】【課題】  カーテン布地の間にエアーキャップを貼り付け断熱性能を高めたエアーキャップ内臓カーテンを提供する。【解決手段】カーテン布地１の間にエアーキャップ２を挟んだことを特徴とする  エアーキャップ内蔵カーテン。カーテン外周の一部に開口部を設けて、エアーキャップが取り出し可能にする。【選択図】図１
2018122064.tif 000002
【特許請求の範囲】
【請求項１】
カーテン布地（１）の間にエアーキャップ（２）を挟んだことを特徴とするエアーキャップ内蔵カーテン。
【請求項２】
エアーキャップ内臓カーテンの外周の一部に開口部を設け、エアーキャップ（２）を取り出し可能としたことを特徴とする請求項１に記載のエアーキャップ内臓カーテン。
【発明の詳細な説明】
【技術分野】
【０００１】  本発明は、カーテン布地にエアーキャップを貼り付け断熱性能を高めたエアーキャップ内臓カーテンに関するものである。
【背景技術】
【０００２】  従来、断熱性を高めるために布地を厚くしたカーテンや、耐熱性樹脂シート製カーテン、生地表面にアルミを蒸着させた樹脂製カーテンがあった。
【発明の概要】
【発明が解決しようとする課題】
【０００３】これは、次のような問題点があった。
（イ）断熱性能を加えるために、製造コストが割高であった。
（ロ）樹脂製のカーテンは、布製カーテンに比較して曲がり難く硬い風合いであった。
本発明は、以上のような欠点をなくすためになされたものである。
【課題を解決するための手段】
【０００４】（イ）２枚のカーテン布地（１）の間に、エアーキャップ（２）を入れる。
（ロ）エアーキャップがずり落ちないように、両面テープで布に貼り付ける。
（ハ）２枚のカーテン布地の外周を縫い付けるが、外周の一部をファスナーで開閉可能に    する。
本発明は、以上の構成によりなるエアーキャップ内臓カーテンである。
【発明の効果】
【０００５】（イ）  エアーキャップ自体、断熱効果を有し、また安価であるため、製造コストが抑え      られる。
（ロ）  エアーキャップ内臓カーテンの表面は普通の布地であり、また、エアーキャップ      自体も容易に折り曲げられるため、樹脂製カーテンに比べ柔らかく人体に接触した      際の衝撃は無く安全である。
（ハ）  カーテンの一端を開ければ、裏返しにすることが出来、中身のエアーキャップを      簡単に取り外すことが出来るため、洗濯が容易である。
（ニ）  内部のエアーキャップを２枚、３枚と増やすことで、断熱効果が増す。
【図面の簡単な説明】
【０００６】
【図１】  本発明の断面図である。
【図２】  本発明の斜視図である。
【発明を実施するための形態】
【０００７】  以下、本発明の実施の形態を説明する。
（イ）  ２枚のカーテン布地（１）の間に、エアーキャップ（２）を入れる。
エアーキャップがずり落ちないように、エアーキャップの一部分を両面テープで布      に貼り付ける。
（ロ）  ２枚のカーテン布地の外周を縫い付けるが、外周の一部に開口部を設けるか、一      実施例としてファスナー（４）で開閉可能にし、エアーキャップが容易に取り出せ      るようにする。
（ハ）  エアーキャップの枚数を増やすことで断熱効果が上がる。
（ニ）  カーテン上部は吊り下げ部（３）である。吊り下げ部はカーテン布地だけで出来      ている。吊り下げ部に、カーテンフックを取り付けたり、カーテンレールを差し込      んだりしてカーテンを吊るす。
本発明は、以上の構成よりなっている。
本発明を使用するときは、居室の一部を間仕切ったり、廊下を間仕切ったりして、間仕切った区画の冷暖房の効果を上げる。
狭い廊下を間仕切るとき、カーテンレールにカーブレールを使用すると、カーテンを開けたとき、カーテンが壁に沿うためカーテンが邪魔にならない。
【符号の説明】
【０００８】      １  カーテン布地
２  エアーキャップ
３  吊り下げ部
４  ファスナー
【図１】
2018122064.tif 000003
【図２】
2018122064.tif 000004